(57)【要約】      （修正有）【課題】凍結した路面であっても確実に除雪できる除雪アタッチメントを装着した田植機および除雪方法を提供する。【解決手段】除雪アタッチメント１は、田植機に装着される。この除雪アタッチメント１は、路面上の雪を集める集雪部３０と、この集雪部３０で集めた雪を所定方向に排出する投雪部４０と、集雪部３０および投雪部４０が固定された支持フレーム５０とを備える。支持フレーム５０には、田植機にボルト固定される固定部５５が設けられる。【選択図】図１
2016160740.tif 000002
【特許請求の範囲】
【請求項１】
田植機に装着される除雪アタッチメントであって、
路面上の雪を集める集雪部と、当該集雪部で集めた雪を所定方向に排出する投雪部と、前記集雪部および前記投雪部が固定された支持フレームとを備え、
前記支持フレームには、前記田植機にボルト固定される固定部が設けられることを特徴とする除雪アタッチメント。
【請求項２】
前記投雪部は、鉛直方向を回転軸として回転可能でかつ所定方向に雪を排出するシュートと、当該シュートに連結されたアームと、を備え、
当該アームは、前記田植機の運転席まで延びることを特徴とする請求項１に記載の除雪アタッチメント。
【請求項３】
請求項１または２に記載の除雪アタッチメントが装着された田植機であって、
当該田植機の前部には、バンパーを支持する支持部が設けられ、
前記固定部は、当該支持部にボルト固定されることを特徴とする田植機。
【請求項４】
請求項３に記載の田植機を動作させる工程と、前記田植機を用いて除雪する工程と、を有する除雪作業方法。
【発明の詳細な説明】
【技術分野】
【０００１】
本発明は、田植機に装着される除雪アタッチメント、この除雪アタッチメントを装着した田植機、および、この田植機を用いた除雪作業方法に関する。
【背景技術】
【０００２】
従来より、トラクタに除雪装置を取り付けておき、除雪装置を駆動しながらトラクタを走行させることで、除雪作業を行うことが提案されている（特許文献１参照）。すなわち、特許文献１の除雪装置は、オーガスクリューとブレードとを備えており、トラクタの後部に取り付けられる。
【先行技術文献】
【特許文献】
【０００３】
【特許文献１】実公平６−２１９３６号公報
【発明の概要】
【発明が解決しようとする課題】
【０００４】
しかしながら、以上のトラクタでは、タイヤが太過ぎるため、凍結した路面を走行しようとするとタイヤが滑ってしまい、除雪作業を実施できない場合があった。
【０００５】
本発明は、凍結した路面であっても確実に除雪できる、除雪アタッチメント、田植機および除雪方法を提供することを目的とする。
【課題を解決するための手段】
【０００６】
請求項１に記載の除雪アタッチメント（例えば、後述の除雪アタッチメント１）は、田植機（例えば、後述の田植機１０）に装着される除雪アタッチメントであって、路面上の雪を集める集雪部（例えば、後述の集雪部３０）と、当該集雪部で集めた雪を所定方向に排出する投雪部（例えば、後述の投雪部４０）と、前記集雪部および前記投雪部が固定された支持フレーム（例えば、後述の支持フレーム５０）とを備え、前記支持フレームには、前記田植機にボルト固定される固定部（例えば、後述の固定部５５）が設けられることを特徴とする。
【０００７】
この発明によれば、除雪アタッチメントの支持フレームに固定部を設けて、この固定部を田植機にボルト固定した。田植機は、車輪が大径で幅が狭いので、凍結した路面であっても滑りにくい。よって、この除雪アタッチメントを装着した田植機を走行させることで、確実に除雪できる。
また、トラクタは、田植え時期（春季）および稲刈り時期（秋季）に稼働するが、田植機は、田植え時期のみ稼働するので、トラクタに比べて稼働率が低くなる。そこで、本発明によれば、田植機に除雪アタッチメントを装着して冬季に稼働させるので、稼働効率を向上できる。
【０００８】
請求項２に記載の除雪アタッチメントは、前記投雪部は、鉛直方向を回転軸として回転可能でかつ所定方向に雪を排出するシュート（例えば、後述のシュート４２）と、当該シュートに連結されたアーム（例えば、後述のアーム４３）と、を備え、当該アームは、前記田植機の運転席（例えば、後述の運転席１４）まで延びることを特徴とする。
【０００９】
この発明によれば、運転者が運転席に座った状態でアームを操作することで、シュートの投雪方向を自在に調整できるので、除雪作業を安全に行うことができる。
【００１０】
請求項３に記載の田植機（例えば、後述の田植機１０）は、上記の除雪アタッチメントを装着しており、当該田植機の前部には、バンパーを支持する支持部が設けられ、前記固定部は、当該支持部にボルト固定される。
【００１１】
この発明によれば、バンパーを支持する支持部を利用して、除雪アタッチメントを田植機に固定したので、除雪アタッチメントが田植機から脱落するのを防止できる。
【００１２】
請求項５に記載の除雪作業方法は、上記の田植機を動作させる工程と、前記田植機を用いて除雪する工程と、を有する。
【００１３】
この発明によれば、安全にかつ効率良く除雪作業を実施できる。
【発明の効果】
【００１４】
本発明によれば、凍結した路面であっても、除雪アタッチメントにより確実に除雪できる。
【図面の簡単な説明】
【００１５】
【図１】本発明の一実施形態に係る除雪アタッチメントが装着された田植機の斜視図である。
【図２】前記実施形態に係る除雪アタッチメントと田植機との接合部分の分解斜視図である。
【発明を実施するための形態】
【００１６】
以下、本発明の一実施形態について、図面を参照しながら説明する。
図１は、本発明の一実施形態に係る除雪アタッチメント１が装着された田植機１０の斜視図である。図２は、除雪アタッチメント１と田植機１０との接合部分の分解斜視図である。
【００１７】
田植機１０は、鋼製の車輪１１を備えたシャシー１２と、このシャシー１２の上に設けられて車輪１１を駆動するエンジン１３と、エンジンの上に設けられた運転席１４と、を備える。
シャシー１２の前面部には、バンパー１５を支持する一対の支持部２０が設けられている。各支持部２０には、貫通孔２１が形成されている。
【００１８】
除雪アタッチメント１は、田植機１０の支持部２０に取り付けられる。この除雪アタッチメント１は、路面上の雪を集める集雪部３０と、この集雪部３０で集めた雪を所定方向に排出する投雪部４０と、集雪部３０および投雪部４０が固定された支持フレーム５０と、を備える。
【００１９】
集雪部３０は、前方に向かって開放されたバケット３１と、このバケット３１の中で回転するらせん状の回転刃であるオーガ３２と、を備える。オーガ３２は、回転することにより地面に積もった雪を掻き取るものである。
【００２０】
投雪部４０は、集雪部３０のバケット３１に接続されたブロア４１と、このブロア４１の上に設けられて鉛直方向を回転軸として回転可能なシュート４２と、このシュート４２の外周面に連結されたアーム４３と、を備える。
【００２１】
ブロア４１は、集雪部３０で集めた雪を回転翼であるインペラにより吹き飛ばすものである。シュート４２は、下部に排出口４４が設けられ、この排出口４４の上方側が一方向に開放された筒形状である。シュート４２は、ブロア４１により吹き飛ばされて排出口４４から排出される雪を、開放された方向に排出する。シュート４２は、運転者によるアーム４３の操作によって回転し、開放された方向を変化させることができる。
【００２２】
アーム４３の一端側は、シュート４２の外周面に固定されている。このアーム４３の他端側は、田植機１０の運転席１４まで延びて、運転者の手が届く位置まで達している。アーム４３の一端がシュート４２における上記の位置に固定されており、アーム４３の他端が運転席１４まで延びていることにより、運転者は、アーム４３を前後に移動させて、シュート４２の向きを所定の範囲内で容易に調節できる。
【００２３】
支持フレーム５０は、集雪部３０および投雪部４０が載置されて固定された枠状の底フレーム５１と、この底フレーム５１の一端側から上方に延びる枠状の壁フレーム５２と、を備える。
壁フレーム５２の上端には、貫通孔５４が形成された固定部５５が一対溶接固定されている。
【００２４】
除雪アタッチメント１は、以下の手順で、田植機１０に装着される。
まず、図２に示すように、田植機１０のバンパー１５を取り外して支持部２０を露出させる。次に、固定部５５の貫通孔５４および支持部２０の貫通孔２１にボルト５６を挿通し、このボルト５６にナット５７を締め付ける。これにより、除雪アタッチメント１の支持フレーム５０が田植機１０に固定される。
【００２５】
なお、本実施形態では、固定部５５を壁フレーム５２の上端に一対設けたが、これに限らず、固定部を壁フレーム５２に複数設けてもよい。例えば、壁フレーム５２の側面に複数の貫通孔を形成しておき、ユーザは、これら複数の貫通孔の中から適宜選択して、支持部２０の貫通孔２１にボルト固定する。このようにすれば、支持部２０の貫通孔２１の位置が異なる種々の田植機１０に対して、除雪アタッチメント１を装着できる。
【００２６】
本実施形態によれば、以下のような効果がある。
（１）除雪アタッチメント１の支持フレーム５０に固定部５５を設けて、この固定部５５を田植機１０の支持部２０にボルト固定した。田植機１０は、車輪１１が大径で幅が狭いので、凍結した路面であっても滑りにくい。よって、この除雪アタッチメント１を装着した田植機１０を走行させることで、確実に除雪できる。
また、田植機１０に除雪アタッチメント１を装着して冬季に稼働させるので、稼働効率を向上できる。
【００２７】
（２）運転者が運転席１４に座った状態でアーム４３を操作することで、シュート４２の投雪方向を自在に調整できるので、除雪作業を安全に行うことができる。
【００２８】
（３）バンパー１５を支持する支持部２０を利用して、除雪アタッチメント１を田植機１０に固定したので、除雪アタッチメントが田植機から脱落するのを防止できる。
【００２９】
なお、本発明は前記実施形態に限定されるものではなく、本発明の目的を達成できる範囲での変形、改良等は本発明に含まれるものである。
【符号の説明】
【００３０】
１…除雪アタッチメント
１０…田植機
１１…車輪
１２…シャシー
１３…エンジン
１４…運転席
１５…バンパー
２０…支持部
２１…貫通孔
３０…集雪部
３１…バケット
３２…オーガ
４０…投雪部
４１…ブロア
４２…シュート
４３…アーム
４４…排出口
５０…支持フレーム
５１…底フレーム
５２…壁フレーム
５４…貫通孔
５５…固定部
５６…ボルト
５７…ナット
【図１】
2016160740.tif 000003
【図２】
2016160740.tif 000004